【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
ヘッドマウントコンピューティングデバイスのハンズフリーナビゲーションのためのコンピュータ実装方法であって、
前記ヘッドマウントコンピューティングデバイス（ＨＭＤ）によって、前記ＨＭＤのタッチ式オペレーティングシステムのユーザインターフェースとのハンズフリー対話が可能になるハンズフリー対話モードを開始するステップと、
前記ハンズフリー対話モードが開始されることに基づいて、前記ＨＭＤに結合されたセンサのセットから受信されるセンサデータに基づいて前記ヘッドマウントコンピューティングデバイスの初期位置を前記ＨＭＤによって検出するステップと、
検出された前記初期位置に基づいて、前記ヘッドマウントコンピューティングデバイスのディスプレイに前記タッチ式オペレーティングシステムのユーザインターフェースの第１のインスタンスを前記ＨＭＤによって表示するステップであって、前記ユーザインターフェースの前記第１のインスタンスは、前記ＨＭＤが前記検出された初期位置にあるときに表示される、ステップと、
当該ＨＭＤの第１の変位が前記検出された初期位置に対して定められた第１の閾値変位よりも大きいことを前記ＨＭＤによって判定するステップであって、前記第１の変位は、前記センサのセットから受信される更なるセンサデータに基づいて決定される、ステップと、
前記第１の変位が前記定められた第１の閾値変位よりも大きいことの判定に基づいて前記タッチ式オペレーティングシステムとの通信のために前記第１の変位を対応するタッチ式入力のセットに前記ＨＭＤによって変換するステップと、
を含む方法。
【請求項２】
前記タッチ式オペレーティングシステムの前記ユーザインターフェースに関連付けられた第１の可聴入力を受け付けるステップと、第１の可聴入力を別の対応するタッチ式入力のセットに変換するステップと、をさらに含む請求項１に記載のコンピュータ実装方法。
【請求項３】
前記ユーザインターフェースが、前記タッチ式オペレーティングシステムにおける電子文書に関連付けられる、請求項１に記載のコンピュータ実装方法。
【請求項４】
前記タッチ式入力のセットが、固定数のスクロールユニットを有するスクロール指令を備える、請求項２に記載のコンピュータ実装方法。
【請求項５】
前記定められた第１の閾値変位は、前記初期位置に対する前記ヘッドマウントコンピューティングデバイスの最小角変位に対応する、請求項１に記載のコンピュータ実装方法。
【請求項６】
前記センサのセットは、カメラ、加速度計、ジャイロスコープ、磁力計の少なくとも１つを備え、前記第１の変位は、前記ヘッドマウントコンピューティングデバイスの１つまたは複数のセンサによって検出される、請求項１に記載のコンピュータ実装方法。
【請求項７】
前記第１の変位を検出するステップは、前記第１の変位の持続時間を判定することを含む、請求項１に記載のコンピュータ実装方法。
【請求項８】
前記変換された第１の変位に応じて前記ヘッドマウントコンピューティングデバイスのディスプレイに前記タッチ式オペレーティングシステムの前記ユーザインターフェースの第２のインスタンスを前記ＨＭＤによって表示するステップをさらに含む、請求項１に記載のコンピュータ実装方法。
【請求項９】
前記ヘッドマウントコンピューティングデバイスの第２の変位を前記ＨＭＤによって検出するステップであって、前記第２の変位は、定められた第２の閾値変位を超える変位であるステップと、
前記定められた第２の変位に基づいて、前記１つまたは複数のタッチ式入力に対応する第２の指令を前記ＨＭＤによって変換するステップと、
前記ヘッドマウントコンピューティングデバイスの前記ディスプレイに前記タッチ式オペレーティングシステムの前記ユーザインターフェースの第３のインスタンスを前記ＨＭＤによって表示するステップと、
をさらに含む、請求項８に記載のコンピュータ実装方法。
【請求項１０】
ヘッドマウントコンピューティングデバイス（ＨＭＤ）のハンズフリーナビゲーションのためのシステムであって、
１つまたは複数のプロセッサと、
１つまたは複数のコンピュータ記録媒体と、を備え、
前記１つまたは複数のコンピュータ記録媒体は、前記１つまたは複数のプロセッサによって実行されることにより、
前記ＨＭＤのタッチ式オペレーティングシステムのユーザインターフェースとのハンズフリー対話が可能になるハンズフリー対話モードを開始するステップと、
前記ＨＭＤのディスプレイに前記タッチ式オペレーティングシステムの前記ユーザインターフェースの第１のインスタンスを表示するステップと、
前記ユーザインターフェースの前記第１のインスタンスが表示されているときに、前記ＨＭＤに結合されたセンサのセットから受信されるセンサデータに基づいた定められた閾値変位を超える第１の変位と、前記ユーザインターフェースの表示された前記第１のインスタンスに含まれるタッチ式制御ダイアログに対応する第１の可聴入力と、のうち１つまたは複数を備える第１のハンズフリー入力を検出するステップと、
前記検出されたハンズフリー入力を、前記タッチ式オペレーティングシステムと通信するために対応するタッチ式入力のセットに変換するステップと、
前記ＨＭＤの前記ディスプレイに前記タッチ式オペレーティングシステムの前記ユーザインターフェースの第２のインスタンスを表示するステップと、
を含む方法を指令するコンピュータ使用可能命令を記憶する、システム。
【請求項１１】
前記第１のハンズフリー入力は、前記第１の変位および前記第１の可聴入力を含む、請求項１０に記載のシステム。
【請求項１２】
前記実装された方法は、第２のハンズフリー入力を検出するステップと、前記第２のハンズフリー入力に基づいて、１つまたは複数のタッチ式入力に対応する第２の指令を判定するステップと、前記ヘッドマウントコンピューティングデバイスの前記ディスプレイに前記タッチ式オペレーティングシステムの前記ユーザインターフェースの第３のインスタンスを表示するステップと、をさらに含む、請求項１０に記載のシステム。
【請求項１３】
前記実装された方法は、ハンズフリー開始入力を検出するステップと、前記ヘッドマウントコンピューティングデバイス上で前記ハンズフリー対話モードを開始する指令を生成するステップと、をさらに含む、請求項１０に記載のシステム。
【手続補正２】
【補正対象書類名】明細書
【補正対象項目名】０１０８
【補正方法】変更
【補正の内容】
【０１０８】
本願発明の実施形態は、例えば、以下の如くである。
［実施形態１］
ヘッドマウントコンピューティングデバイスのハンズフリーナビゲーションのためのコンピュータ実装方法であって、前記ヘッドマウントコンピューティングデバイス上で、タッチ式オペレーティングシステムのユーザインターフェースとの対話が可能になるハンズフリー対話モードを開始するステップと、１つまたは複数の軸に対する前記ヘッドマウントコンピューティングデバイスの位置を含む前記ヘッドマウントコンピューティングデバイスの初期位置を検出するステップと、前記ヘッドマウントコンピューティングデバイスのディスプレイに前記タッチ式オペレーティングシステムの前記ユーザインターフェースの第１のインスタンスを表示するステップと、前記ヘッドマウントコンピューティングデバイスの第１の変位を検出するステップであって、前記第１の変位は、前記初期位置に対する変位である第１の閾値変位を超える変位であるステップと、前記第１の変位に基づいて、１つまたは複数のタッチ式入力に対応する第１の指令を判定するステップと、前記タッチ式オペレーティングシステムに前記第１の指令を伝えるステップと、を含む方法。
［実施形態２］
前記タッチ式オペレーティングシステムの前記ユーザインターフェースに関連付けられた第１の可聴入力を受け付けるステップと、前記第１の可聴入力に基づいて第２の指令を判定するステップと、をさらに含む実施形態１に記載のコンピュータ実装方法。
［実施形態３］
前記ユーザインターフェースが、前記タッチ式オペレーティングシステムにおける電子文書に関連付けられる、実施形態１に記載のコンピュータ実装方法。
［実施形態４］
前記第１の指令が、固定数のスクロールユニットを有するスクロール指令を備える、実施形態２に記載のコンピュータ実装方法。
［実施形態５］
前記第１の閾値変位は、前記１つまたは複数の軸に対する前記ヘッドマウントコンピューティングデバイスの最小角変位に対応する、実施形態１に記載のコンピュータ実装方法。
［実施形態６］
前記第１の変位は、前記ヘッドマウントコンピューティングデバイスの１つまたは複数のセンサによって検出される、実施形態１に記載のコンピュータ実装方法。
［実施形態７］
前記第１の変位を検出するステップは、前記第１の変位の持続時間を判定することを含む、実施形態１に記載のコンピュータ実装方法。
［実施形態８］
前記ヘッドマウントコンピューティングデバイスのディスプレイに前記タッチ式オペレーティングシステムの前記ユーザインターフェースの第２のインスタンスを表示するステップをさらに含む、実施形態１に記載のコンピュータ実装方法。
［実施形態９］
前記ヘッドマウントコンピューティングデバイスの第２の変位を検出するステップであって、前記第２の変位は、第２の閾値変位を超える変位であるステップと、前記第２の変位に基づいて、１つまたは複数のタッチ式入力に対応する第２の指令を判定し、前記ヘッドマウントコンピューティングデバイスの前記ディスプレイに前記タッチ式オペレーティングシステムの前記ユーザインターフェースの第３のインスタンスを表示するステップと、をさらに含む、実施形態８に記載のコンピュータ実装方法。
［実施形態１０］
１つまたは複数のコンピューティングデバイスによって使用されることにより、前記１つまたは複数のコンピューティングデバイスに、前記ヘッドマウントコンピューティングデバイス上で、タッチ式オペレーティングシステムのユーザインターフェースとの対話が可能になるハンズフリー対話モードを開始するステップと、前記タッチ式オペレーティングシステムの前記ユーザインターフェースにおける少なくとも１つのタッチ式制御ダイアログを識別するステップと、前記ヘッドマウントコンピューティングデバイスのディスプレイに前記タッチ式オペレーティングシステムの前記ユーザインターフェースの第１のインスタンスを表示するステップと、前記少なくとも１つのタッチ式制御ダイアログに関連付けられた第１の可聴入力を受け付けるステップと、前記第１の可聴入力に応じて前記ヘッドマウントコンピューティングデバイスに前記タッチ式オペレーティングシステムの前記ユーザインターフェースの第２のインスタンスを表示するステップと、を含む動作を実行させる、コンピュータ使用可能命令を記憶する非一時的なコンピュータ記憶媒体デバイス。
［実施形態１１］
前記ヘッドマウントコンピューティングデバイスのディスプレイに、前記ユーザインターフェースの前記第１のインスタンスに重ねて少なくとも１つのグラフィカルオーバーレイコントロールを表示するステップをさらに含む、実施形態１０に記載のコンピュータ記憶媒体。
［実施形態１２］
前記少なくとも１つのグラフィカルオーバーレイコントロールは、前記少なくとも１つのタッチ式制御ダイアログに対応する可聴入力を表す視覚的指標を含む、実施形態１１に記載のコンピュータ記憶媒体。
［実施形態１３］
前記少なくとも１つのタッチ式制御ダイアログに関連する複数の所定のグラフィカルオーバーレイコントロールのうちのグラフィカルオーバーレイコントロールの識別に基づいて、前記少なくとも１つのグラフィカルオーバーレイコントロールを選択するステップをさらに含む、実施形態１０に記載のコンピュータ記憶媒体。
［実施形態１４］
前記ハンズフリー対話モードを一時停止する指令に対応する第２の可聴入力を受けつけるステップをさらに含む、実施形態１０に記載のコンピュータ記憶媒体。
［実施形態１５］
前記第１の可聴入力からテキストを認識するために音声認識を実行するステップをさらに含む、実施形態１０に記載のコンピュータ記憶媒体。
［実施形態１６］
前記ユーザインターフェースは、前記タッチ式オペレーティングシステムで実行されるモバイルアプリケーションに関連付けられている、実施形態１０に記載のコンピュータ記憶媒体。
［実施形態１７］
ヘッドマウントコンピューティングデバイスのハンズフリーナビゲーションのためのシステムであって、１つまたは複数のプロセッサと、１つまたは複数のコンピュータ記録媒体と、を備え、前記１つまたは複数のコンピュータ記録媒体は、前記１つまたは複数のプロセッサによって実行されることにより、前記ヘッドマウントコンピューティングデバイス上で、タッチ式オペレーティングシステムのユーザインターフェースとの対話が可能になるハンズフリー対話モードを開始するステップと、前記ヘッドマウントコンピューティングデバイスのディスプレイに前記タッチ式オペレーティングシステムの前記ユーザインターフェースの第１のインスタンスを表示するステップと、前記ヘッドマウントコンピューティングデバイスの閾値変位を超える第１の変位と、前記ユーザインターフェースの前記第１のインスタンスに含まれるタッチ式制御ダイアログに関連付けられた第１の可聴入力と、のうち１つまたは複数を備える第１のハンズフリー入力を検出するステップと、前記ハンズフリー入力に基づいて、１つまたは複数のタッチ式入力に対応する第１指令を判定するステップと、前記ヘッドマウントコンピューティングデバイスの前記ディスプレイに前記タッチ式オペレーティングシステムの前記ユーザインターフェースの第２のインスタンスを表示するステップと、を含む方法を指令するコンピュータ使用可能命令を記憶する、システム。
［実施形態１８］
前記第１のハンズフリー入力は、前記第１の変位および前記第１の可聴入力を含む、実施形態１７に記載のシステム。
［実施形態１９］
前記実装された方法は、第２のハンズフリー入力を検出するステップと、前記第２のハンズフリー入力に基づいて、１つまたは複数のタッチ式入力に対応する第２の指令を判定するステップと、前記ヘッドマウントコンピューティングデバイスの前記ディスプレイに前記タッチ式オペレーティングシステムの前記ユーザインターフェースの第３のインスタンスを表示するステップと、をさらに含む、実施形態１７に記載のシステム。
［実施形態２０］
前記実装された方法は、ハンズフリー開始入力を検出するステップと、前記ヘッドマウントコンピューティングデバイス上で前記ハンズフリー対話モードを開始する指令を生成するステップと、をさらに含む、実施形態１７に記載のシステム。
特許請求の範囲から逸脱することなく、図示されていないコンポーネントと同様に、図示されている様々なコンポーネントの多くの異なる配置が可能である。本開示の実施形態は、限定的ではなく例示的であることを意図して説明されている。代替実施形態は、本明細書を読んだ後、および読むことによって、本開示の読者に明らかになるであろう。前述した内容を実施する代替手段は、特許請求の範囲から逸脱することなく想定され得る。特定の機能およびサブコンビネーションは有用であり、他の機能およびサブコンビネーションを参照せずに使用することができ、特許請求の範囲内で想定されている。